(57)【要約】本発明は、通信装備間のアンテナ整列ガイド装置において、整列ガイド装置の方位角および位置に関する情報を検知するセンサ部と、センサ部で検知した位置に関する情報を表示し、動作設定入力および他の装置の位置に関する情報を受信するためのユーザインタフェース部と、整列ガイド装置を通信装備の予め設定された部位で通信装備の無線信号放射方向を基準に整列された状態で装着する固定装置とを含む。【選択図】図２
2019523573.tif 000002
【特許請求の範囲】
【請求項１】
無線信号を送受信し、固定装備によって支柱に固定されて設けられる通信装備間のアンテナ整列ガイド装置において、
前記整列ガイド装置の方位角および位置に関する情報を検知するセンサ部と、
前記センサ部で検知した位置に関する情報を表示し、動作設定入力および他の装置の位置に関する情報を受信するためのユーザインタフェース部と、
前記整列ガイド装置を前記通信装備の予め設定された部位で着脱可能な形態で固定する固定装置とを含み、
前記整列ガイド装置は、前記固定装置によって前記通信装備の外側に装着または脱着されることを特徴とする整列ガイド装置。
【請求項２】
前記センサ部は、
前記整列ガイド装置の方位角を検知するための真北センサと、
前記整列ガイド装置の位置を検知するためのＧＰＳ（Ｇｌｏｂａｌ  Ｐｏｓｉｔｉｏｎｉｎｇ  Ｓｙｓｔｅｍ）センサとを含むことを特徴とする請求項１に記載の整列ガイド装置。
【請求項３】
前記センサ部は、
前記整列ガイド装置の設けられた高さを検知するための高度センサをさらに含むことを特徴とする請求項２に記載の整列ガイド装置。
【請求項４】
前記ユーザインタフェース部は、前記センサ部で検知した位置に関する情報をユーザに表示するための表示部と、
前記動作設定入力および他の装置の位置に関する情報を受信するための入力部とを含むタッチスクリーンで実現することを特徴とする請求項１に記載の整列ガイド装置。
【請求項５】
前記整列ガイド装置は、前記通信装備に連結されて前記通信装備の制御下で動作し、
前記通信装備から受信感度（ＲＳＳＩ：Ｒｅｃｅｉｖｅｄ  Ｓｉｇｎａｌ  Ｓｔｒｅｎｇｔｈ  Ｉｎｄｉｃａｔｏｒ）情報を受けて表示することを特徴とする請求項１に記載の整列ガイド装置。
【請求項６】
前記整列ガイド装置の動作を総括的に制御する制御部をさらに含み、
前記制御部は、
前記センサ部から提供された位置情報および方位角情報と、前記インタフェース部から入力された相手側通信装備の位置情報とを用いて、相手側通信装備の位置に向かうように、自らの設置方向に関する情報を前記ユーザインタフェース部を介して出力する動作を行うことを特徴とする請求項１に記載の整列ガイド装置。
【請求項７】
前記制御部は、
前記通信装備から受信感度情報を受けて前記ユーザインタフェース部を介して表示する動作をさらに行うことを特徴とする請求項６に記載の整列ガイド装置。
【請求項８】
前記センサ部は、前記整列ガイド装置の設けられた高さを検知するための高度センサをさらに含み、
前記制御部は、前記センサ部から提供された高度情報と、前記インタフェース部から入力された相手側通信装備の高度とを追加的にさらに用いて、前記自らの設置方向に関する情報を前記ユーザインタフェース部を介して出力する動作を行うことを特徴とする請求項６または７に記載の整列ガイド装置。
【発明の詳細な説明】
【技術分野】
【０００１】
本発明は、超高周波伝送システムに適用可能な通信装備に関し、超高周波伝送システムにおいて、２つの通信装備のアンテナ間の指向方向を互いに合わせるためのアンテナ整列ガイド装置に関する。
【背景技術】
【０００２】
最近、大容量のデータサービスを要求するサービス加入者を満たすために、制限された周波数帯域でより効率的でより多くのデータを伝送するために、ＬＴＥのＭＩＭＯ（Ｍｕｌｔｉｐｌｅ  Ｉｎｐｕｔ  Ｍｕｌｔｉｐｌｅ  Ｏｕｔｐｕｔ）方式などを含めた多様な研究が行われている。これとともに、既存のマクロセル単位で基地局を実現する方式からさらに進んで、より一層小さいセル（別名、スモールセル；ｓｍａｌｌ  ｃｅｌｌ）単位で複数の基地局を実現することで、より少数の加入者にデータサービスを集中的に提供する方式およびこれを実現するための小型または超小型基地局に関する研究開発が活発に行われている。
【０００３】
この時、光ケーブルなどを介して基地局間を連結する通常の方式は、複数の小型基地局を連結するために適用する場合に、多大な設置費用の増加および設置環境上の制約による困難が増す。これによって、基地局または小型基地局間の無線通信装備を介して互いに連結するシステムを必要とし、現在、スモールセルのデータ容量を無線で効果的に処理できるようにしかつ、移動通信ネットワークの使用周波数帯域の飽和状態を考慮して、ミリメートル波（ｍｉｌｌｉｍｅｔｅｒ  ｗａｖｅ）（超高周波広帯域ミリメートル波）帯域を用いる超高周波伝送システム（例えば、フロントホールおよびバックホール）が適用されている。
【０００４】
一方、超高周波であるミリメートル波の特性は、直進性が強く、距離に応じて電波が減少して無くなる特性（減衰特性）が強い。また、利得が高く、ビーム幅が、例えば、約１．５度と非常に狭い。したがって、超高周波信号を送受信する両通信装備間の整列（すなわち、両通信装備のアンテナ間の整列）が正確でこそ、両通信装備間の通信可能距離を増加させることができ、指向中心方向（Ｂｏｒｅ−ｓｉｇｈｔ）外に放射される信号が微弱であるため、隣接通信装備間の相互影響を低減することができる。そこで、両通信装備の設置時に相互間の整列を合わせる作業が必須に行われる。
【０００５】
しかしながら、現在、通常数百メートル（例えば、約５００ｍ）離れて設けられる２つの通信装備のアンテナ間の整列作業は、作業者が肉眼や望遠鏡などを用いて行われている。このような整列作業は精度が不足し長時間がかかり、設置費用が増加して設置効率性が低下する。したがって、より正確かつ効率的であり、短時間で２つの通信装備のアンテナを整列できる技術が要求される。
【発明の概要】
【発明が解決しようとする課題】
【０００６】
そこで、本発明の目的は、特に超高周波信号を送受信する２つの通信装備のアンテナ整列作業が正確かつ効率的であり、速やかに行われるようにするためのアンテナ整列ガイド装置を提供することである。
【課題を解決するための手段】
【０００７】
上記の目的を達成するために、本発明は、通信装備間のアンテナ整列ガイド装置において、前記整列ガイド装置の方位角および位置に関する情報を検知するセンサ部と、前記センサ部で検知した位置に関する情報を表示し、動作設定入力および他の装置の位置に関する情報を受信するためのユーザインタフェース部と、前記整列ガイド装置を前記通信装備の予め設定された部位で前記通信装備の無線信号放射方向を基準に整列された状態で装着する固定装置とを含むことを特徴とする。
【０００８】
前記センサ部は、前記整列ガイド装置の方位角を検知するための真北センサと、前記整列ガイド装置の検知するためのＧＰＳセンサとを含むことができ、追加的に、前記整列ガイド装置の設けられた高さを検知するための高度センサなどを含んでもよい。
【０００９】
前記整列ガイド装置は、前記通信装備に連結されて前記通信装備の制御下で動作し、前記通信装備から受信感度（ＲＳＳＩ：Ｒｅｃｅｉｖｅｄ  Ｓｉｇｎａｌ  Ｓｔｒｅｎｇｔｈ  Ｉｎｄｉｃａｔｏｒ）情報を受けて表示することができる。
【００１０】
前記整列ガイド装置の動作を総括的に制御する制御部をさらに含んでもよいし、前記制御部は、前記センサ部から提供された位置情報および方位角情報と、前記インタフェース部から入力された相手側通信装備の位置情報とを用いて、相手側通信装備の位置に向かうように、自らの設置方向に関する情報を前記ユーザインタフェース部を介して出力する動作を行うことができる。
【００１１】
前記制御部は、前記センサ部から提供された高度情報と、前記インタフェース部から入力された相手側通信装備の高度とを追加的にさらに用いて、前記自らの設置方向に関する情報を前記ユーザインタフェース部を介して出力することができる。
【発明の効果】
【００１２】
上記のように、本発明に係るアンテナ整列ガイド装置は、特に超高周波信号を送受信する２つの通信装備のアンテナ整列作業が正確かつ効率的であり、速やかに行われるようにすることができる。
【図面の簡単な説明】
【００１３】
【図１】本発明の一部の実施形態に係るアンテナ整列ガイド装置が適用される通信装備の概略的な設置構成図である。
【図２】本発明の第１実施形態に係るアンテナ整列ガイド装置および関連通信装備の概略的なブロック構成図である。
【図３】本発明の一部の実施形態に係るアンテナ整列ガイド装置を用いた通信装備間の整列方式に関する概念図である。
【図４】本発明の一部の実施形態に係るアンテナ整列ガイド装置を用いた通信装備間の整列作業実行時の、相互間の水平方位角を整列するための概念図である。
【図５】本発明の一部の実施形態に係るアンテナ整列ガイド装置を用いた通信装備間の整列作業実行時の、相互間の垂直傾斜を整列するための概念図である。
【図６】本発明の第２実施形態に係るアンテナ整列ガイド装置および関連通信装備の概略的なブロック構成図である。
【図７】本発明の第３実施形態に係るアンテナ整列ガイド装置および関連通信装備の概略的なブロック構成図である。
【図８】本発明の一部の実施形態に係るアンテナ整列ガイド装置を用いた通信装備の整列作業実行フロー図である。
【発明を実施するための形態】
【００１４】
以下、本発明に係る好ましい実施形態を、添付した図面を参照して詳細に説明する。下記の説明では、具体的な構成素子などのような特定事項が示されているが、これは本発明のより全般的な理解のために提供されたものに過ぎず、このような特定事項が本発明の範囲内で所定の変形あるいは変更が可能であることはこの技術分野における通常の知識を有する者にとっては自明というべきである。
【００１５】
図１は、本発明の一部の実施形態に係る考案装置が適用される通信装備の概略的な設置構成図である。図１を参照すれば、例えば、３０ＧＨｚ以上のミリメートル波帯域の超高周波を用いて無線信号を送受信する２つの通信装備１−１、１−２は、例えば、地上や建物などに設けられる支柱６に互いに数百メートル以上離れて向かい合う形態で設けられる。このような通信装備のうち、第１通信装備１−１は、例えば、ドナー（Ｄｏｎｏｒ）ユニットと見なすことができ、第２通信装備１−２は、リモート（Ｒｅｍｏｔｅ）ユニットと見なすことができる。この時、２つの通信装備１−１、１−２は、水平方位角および垂直傾斜に対する設置姿勢を調整可能なクランプなどで構成される固定装備によってそれぞれ支柱６−１、６−２に固定されて設けられる。
【００１６】
前記構造において、本発明の実施形態に係る整列ガイド装置２−１、２−２が各通信装備１−１、１−２の外側に着脱可能な形態で設けられる。図１の例においては、整列ガイド装置２−１、２−２が各通信装備１−１、１−２の上部に置かれる構造で設けられることが示されている。この時、各整列ガイド装置２−１、２−２が置かれる方向は、各通信装備１−１、１−２でアンテナのミリメートル波帯域の無線信号を放射する方向を基準としてこれと整列された状態で置かれる。この場合に、各通信装備１−１、１−２には、当該整列ガイド装置２−１、２−２が予め設定された定位置に置かれるように適切な形状を有するか、追加的な構造物が設けられてもよい。
【００１７】
また、前記整列ガイド装置２−１、２−２を各通信装備１−１、１−２で予め設定された定位置に着脱可能な形態で固定可能に別の固定装置４−１、４−２が構成される。このような固定装置４−１、４−２は、クランプ構造やブラケット構造などで構成され、当該整列ガイド装置２−１、２−２および通信装備１−１、１−２に対応する部位を有し、当該整列ガイド装置２−１、２−２を通信装備１−１、１−２に固定させる。
【００１８】
図２は、本発明の第１実施形態に係るアンテナ整列ガイド装置および関連通信装備の概略的なブロック構成図である。図２を参照して、まず、通信装備１の構成をみると、通信装備１には、ミリメートル波無線信号を送受信するためにミリメートル波帯域のアンテナなどで構成される無線信号送受信部１０と、当該通信装備１の動作を全般的に制御する制御部であるＭＣＵ（Ｍｉｃｒｏ  Ｃｏｎｔｒｏｌ  Ｕｎｉｔ）１１とを含んで構成される。
【００１９】
一方、アンテナ整列ガイド装置２は、基本的に、当該整列ガイド装置の方位角および位置に関する情報を検知するセンサ部２２と、前記センサ部２２で検知した位置に関する情報を表示し、動作設定入力および他の装置の位置に関する情報を受信するためのユーザインタフェース部２４とを備える。また、このようなユーザインタフェース部２４は、他の装置の位置情報に対応して当該整列ガイド装置２の設置方向（すなわち、水平方位角）を表示する。
【００２０】
センサ部２２は、当該整列ガイド装置の方位角を検知するための真北センサ２２２と、位置を検知するためのＧＰＳ（Ｇｌｏｂａｌ  Ｐｏｓｉｔｉｏｎｉｎｇ  Ｓｙｓｔｅｍ）センサ２２４とを含むことができる。また、追加的に、当該整列ガイド装置の設けられた高さを検知するための高度センサを備えることもできる。
【００２１】
ユーザインタフェース部２４は、前記センサ部２２で検知した位置に関する情報などをユーザに表示するための表示部２４２と、動作設定入力および他の装置の位置に関する情報を受信するための入力部２４６とを含んで構成される。このような表示部２４２と入力部２４６は、一体的にタッチスクリーンなどで実現されてもよい。表示部２４２は、その他にも後述のように、当該通信装備の受信感度（ＲＳＳＩ：Ｒｅｃｅｉｖｅｄ  Ｓｉｇｎａｌ  Ｓｔｒｅｎｇｔｈ  Ｉｎｄｉｃａｔｏｒ）情報を表示することができ、ユーザから動作設定を受信するための適切なメニュー画面などを表示することができる。また、入力部２４６は、その他にも、別の動作設定操作のための機能キーなどが備えられる。
【００２２】
このような構成を有する整列ガイド装置２は、例えば、通信装備１の上側で通信装備１の無線信号送受信部１０の無線信号放射方向を基準に整列された状態で装着される。図２では、当該整列ガイド装置２を通信装備１に装着するための固定装置４が簡略に示されている。
【００２３】
また、整列ガイド装置２と通信装備１は、通信ケーブルおよびコネクタなどで構成された通信インタフェース３を介して連結され、互いに信号をやり取りするように構成される。これによって、通信装備１のＭＣＵ１１は、前記通信インタフェース３を介して整列ガイド装置２のセンサ部２２およびユーザインタフェース部２４に連結され、センサ部２２およびユーザインタフェース部２４の動作を制御することができる。すなわち、このような構成は、整列ガイド装置２が通信装備１のＭＣＵ１１の制御下で動作する構造であることが分かる。
【００２４】
ガイド整列装置２が通信装備１に装着され、両者間で互いに連結されると、作業者はガイド整列装置２を介して通信装備１の設置姿勢を調整する。この時、作業者はユーザインタフェース部２４を介して相手側通信装備（すなわち、相手側通信装備に装着されたガイド整列装置）の位置情報を入力する。ユーザインタフェース部２４に入力された相手側通信装備の位置情報は、当該通信装備１のＭＣＵ１１に提供される。
【００２５】
ＭＣＵ１１は、センサ部２２から提供された自らの位置情報および方位角情報と、前記インタフェース部２４から提供された相手側通信装備の位置情報とを考慮して、相手側通信装備の位置に向かうように、自らの設置方向に関する情報（すなわち、水平方位角）をユーザインタフェース部２４を介して出力する。これによって、ユーザインタフェース部２４には、現在当該通信装備（すなわち、当該整列ガイド装置）の方位角と要求される設置方向に対する方位角が表示されてもよいし、作業者はこのように出力される情報を確認して、通信装備１の設置方向（水平方位角）を調整する。
【００２６】
この時、通信装備１のＭＣＵ１１は、無線信号送受信部１０を介して受信される無線信号の受信感度に関する情報もユーザインタフェース部２４を介して表示するように制御することができ、作業者はこのような受信感度に関する情報を通してより精密に通信装備１の設置方向を調整することができる。すなわち、作業者は、前記受信感度が良好な場合に、通信装備の設置方向が適切に調整されたと見なすことができる。
【００２７】
通信装備１で受信感度を測定することは、２つの方式を適用することができる。例えば、通信装備１の無線信号送受信部１０の出力電圧を確認する方式を用いることができる。あるいは、当該通信装備１の制御を目的とする低周波領域の無線通信（例えば、ＦＳＫ、Ｚｉｇｂｅｅなど）モデムの受信感度を確認する方式を用いることもできる。
【００２８】
一方、追加的に、作業者はユーザインタフェース部２４を介して相手側通信装備（すなわち、相手側通信装備に装着されたガイド整列装置）の高度情報を入力することができる。また、センサ部２２の高度センサ２２６によって検知された高度情報はＭＣＵ１１に提供されるように構成することができる。さらに、ＭＣＵ１１は、センサ部２２から提供された自らの高度情報と、前記インタフェース部２４から提供された相手側通信装備の高度情報とを考慮して、相手側通信装備の設置位置に向かうように、自らの設置方向に関する情報（すなわち、垂直傾斜）をユーザインタフェース部２４を介して出力することができる。これによって、作業者はこのように出力される情報を確認して、通信装備１の設置方向（垂直傾斜）を追加的にさらに調整する。
【００２９】
図３は、本発明の一部の実施形態に係るアンテナ整列ガイド装置を用いた通信装備間の整列方式に関する概念図である。図３を参照すれば、超高周波無線信号を送受信する通信装備１−１、１−２は、例えば、約５００ｍ前後で設けられるが、当該整列ガイド装置２−１、２−２のセンサ部が検知する真北または磁北の方向は、当該通信装備１−１、１−２から、例えば、数百または数千Ｋｍ離れていてよい。したがって、各通信装備１−１、１−２の整列ガイド装置２−１、２−２が検知した真北または磁北値を０となるように（すなわち、通信装備が北側を指すと）、２つの通信装備は平行な線上にあると考えるとよい。
【００３０】
図４は、本発明の一部の実施形態に係るアンテナ整列ガイド装置を用いた通信装備間の整列作業実行時の、相互間の水平方位角を整列するための概念図であって、前記図３で説明したように、平行な２つの線上の２点（すなわち、２つの通信装備が位置する地点Ａ、Ｂ）が互いに向かい合う角αを求める方式を図式化した図である。図４を参照すれば、２つの通信装備が位置する地点Ａ、Ｂを両頂点とする直角三角形を考慮すると、前記αは、図４で直角三角形の３辺ａ、ｂ、ｃのうち２つの長さを知っていれば三角比によって求められる。
【００３１】
２つの通信装備それぞれのＧＰＳセンサによってＧＰＳ座標を有し、この座標によって、例えば、南北距離ａは、緯度座標によって２つの地点Ａ、Ｂの緯度差［ｘ−ｘ’］を計算して求められる。東西距離ｃは、経度座標によって２つの地点Ａ、Ｂの経度差［ｙ−ｙ’］を計算して求められる。この時、２つの通信装備間の直線距離ｂは、［ａ２＋ｃ２］の平方根であり、ＧＰＳの機能により直線距離を求めることもできる。この後、求められたａ、ｂ、ｃの長さを用いて、例えば、ｓｉｎα値はａ／ｂで計算することができ、最終的にαを求めることができる。
【００３２】
前記のように求められたαを用いて、例えば、図４のように、緯度上下側（南側）に位置した第１通信装備１−１が経度上相手側の第２通信装備１−２より西側に位置した場合、第１通信装備１−１は、北側方向を基準として東側にαだけ方位角（ｙａｗ、ｈｅａｄｉｎｇ）を移動させる。第１通信装備１−１が経度上相手側通信装備１−２より東側に位置した場合、西側にαだけ方位角を移動させる。
【００３３】
緯度上上側（北側）に位置した第２通信装備１−２は、経度上第１通信装備１−１より東側に位置した場合、西側方向に１８０−αだけ方位角を移動させ、経度上第１通信装備１−１より西側に位置した場合、東側方向に１８０−αだけ方位角を移動させる。
【００３４】
図５は、本発明の一部の実施形態に係るアンテナ整列ガイド装置を用いた通信装備間の整列作業実行時の、相互間の垂直傾斜を整列するための概念図であって、互いに高さの差を有する２つの地点（すなわち、２つの通信装備が位置する地点Ａ、Ｂ）の互いに向かい合う角βを求める方式を図式化した図である。図５を参照すれば、２つの通信装備が位置する地点Ａ、Ｂを両頂点とする直角三角形を考慮すると、前記βは、前記図４で説明した方式と同じく三角比を用いて求められる。
【００３５】
すなわち、前記図４に示されるような方式を用いて求めた２つの通信装備間の直線距離ｂと両通信装備に備えられた高度センサを用いて両通信装備の高度差［ｚ−ｚ’］であるｄを求めることができる。この時、求められたｂとｄを用いて、例えば、ｔａｎβ値はｄ／ｂで計算することができ、最終的に前記βを求めることができる。
【００３６】
前記のように、求められたβを用いて、例えば、図５のように高い位置に位置した第１通信装備１−１は、地面方向にβだけ仰角（ｐｉｔｃｈ）を移動させ、低い位置に位置した第２通信装備１−２は、地面と反対方向にβだけ移動させる。
【００３７】
前記図４および図５に示されるように、２つの通信装備の方位角および傾斜を整列することができ、この時、２つの通信装備の整列状態は、例えば、５００ｍの距離を基準として１度（１７ｍｍ）あたり約８．５ｍの誤差を示す。実際に常用センサの平均誤差が０．３前後である点を勘案すれば、５００ｍで０．３度の誤差により約２．８３ｍの誤差距離が発生する。これは、場合によっては安定した範囲にあり得るが、本発明の一部の実施形態では、両通信装備間の追加的な受信感度の測定およびこれによる追加的な微細調整によってかかる誤差を補正することができる。
【００３８】
図６は、本発明の第２実施形態に係るアンテナ整列ガイド装置および関連通信装備の概略的なブロック構成図である。図６を参照すれば、本発明の第２実施形態に係るアンテナ整列ガイド装置２は、前記図２に示されるような第１実施形態に係る構成と同じく、当該装置の方位角および位置に関する情報を検知するセンサ部２２と、前記センサ部２２で検知した位置に関する情報を表示し、動作設定入力および他の装置の位置に関する情報を受信するためのユーザインタフェース部２４とを備える。また、このようなユーザインタフェース部２４は、他の装置の位置情報に対応して当該整列ガイド装置２の設置方向（すなわち、水平方位角）を表示する。
【００３９】
さらに、図６に示された第２実施形態に係る整列ガイド装置において、前記センサ部２２は、前記第１実施形態と同じく、前記センサ部２２は、真北センサ、ＧＰＳセンサ、高度センサなどを含むことができる。また、ユーザインタフェース部２４は、表示部および入力部などで構成され、タッチスクリーンで実現されてもよい。その他にも、図６に示された整列ガイド装置２は、通信インタフェース３を介して通信装備１に連結され、固定装置４を介して通信装備１に装着される。作業者がユーザインタフェース部２４を介して相手側通信装備（すなわち、相手側通信装備に装着されたガイド整列装置）の位置情報および高度情報を入力すると、入力された相手側通信装備の位置情報および高度情報は当該整列ガイド装置２のＭＣＵ２１に提供される。
【００４０】
整列ガイド装置２のＭＣＵ２１は、センサ部２２から提供された自らの位置情報、方位角情報および高度情報と、前記インタフェース部２４から提供された相手側通信装備の位置情報および高度情報とを考慮して、相手側通信装備の位置に向かうように、自らの設置方向に関する情報（すなわち、水平方位角および垂直傾斜）をユーザインタフェース部２４を介して出力する。これによって、ユーザインタフェース部２４には、現在当該通信装備（すなわち、当該整列ガイド装置）の方位角と要求される設置方向に対する方位角が表示されてもよいし、作業者はこのように出力される情報を確認して、通信装備１の設置方向（水平方位角および垂直傾斜）を調整する。
【００４１】
前記図６に示されるような第２実施形態に係る整列ガイド装置２の構造は、整列ガイド装置２の内部にＭＣＵ２１のようなプロセッサを設け、整列ガイド装置２は、自体でセンサ部２２の検知情報およびユーザインタフェース部２４の入力情報を処理し、ユーザがインタフェース部２４の表示動作を制御する構造であることが分かる。整列ガイド装置２は、このような動作実行結果のみを通信装備１のＭＣＵ１１に通知することができる。
【００４２】
通信装備１のＭＣＵ１１は、第１実施形態の動作と類似して、当該通信装備１の受信感度を測定して整列ガイド装置２のＭＣＵ２１に提供することができる。整列ガイド装置２のＭＣＵ２１は、前記通信装備１のＭＣＵ１１に提供された受信感度に関する情報もユーザインタフェース部２４を介して表示するように制御することができ、作業者はこのような受信感度に関する情報を通してより精密に通信装備１の設置方向を調整することができる。
【００４３】
図７は、本発明の第３実施形態に係るアンテナ整列ガイド装置および関連通信装備の概略的なブロック構成図である。図７を参照すれば、本発明の第３実施形態に係るアンテナ整列ガイド装置２は、前記図６に示されるような第２実施形態に係る構成と同じく、センサ部２２と、ユーザインタフェース部２４とを備え、また、制御部としてＭＣＵ２１を備えることが示されている。さらに、このような整列ガイド装置２は、固定装置４を介して通信装備１に装着される。
【００４４】
しかしながら、図７に示された第３実施形態に係る構造では、整列ガイド装置２が、図６に示された通信インタフェース３を介して通信装備１と連結されない。すなわち、このような構造は、整列ガイド装置２のＭＣＵ２１と通信装備１のＭＣＵ１１とが互いに通信しない構造であることが分かる。
【００４５】
このような構造において、整列ガイド装置２の前記図６に示された第２実施形態と同じく、自らの位置情報、方位角情報および高度情報と、相手側通信装備の位置情報および高度情報とを用いて、自らの設置方向に関する情報を作業者に出力する動作を行うが、追加的に、精密な調整のための検知信号を用いる動作は行わない。
【００４６】
図８は、本発明の一部の実施形態に係るアンテナ整列ガイド装置を用いた通信装備の整列作業実行フロー図であって、例えば、前記第１または第２実施形態に係る整列ガイド装置を用いて行われる。図８を参照すれば、整列ガイド装置が通信装備に装着されると、まず、５０２ステップで、相手側整列ガイド装置の位置情報（および高度情報）を入力する。
【００４７】
この後、５０４ステップでは、整列ガイド装置の水平方位角（および垂直傾斜）を調整する。整列ガイド装置の水平方位角（および垂直傾斜）の調整が完了すると、この後、５０６ステップで、アンテナ受信感度の測定結果を確認する。この後、５０８ステップでは、前記確認したアンテナ受信感度を、安定した範囲として予め設定された基準値と比較する。５０８ステップでの比較結果、受信感度が基準値以上でない場合には、前記５０４ステップに進み、整列ガイド装置の水平方位角（および垂直傾斜）を、例えば、微細に再調整し、前記過程を繰り返し行う。５０８ステップでの比較結果、受信感度が基準値以上の場合には、整列作業を完了する。
【００４８】
上記の本発明の実施形態に係る整列ガイド装置を用いたアンテナ整列方式は、通信装備（アンテナ）を支柱に固定されるように設ける場合に、一時的にユーザ（作業者）の通信装備設置作業を補助するのに適切なものである。作業者は、通信装備の設置に際して、前記整列ガイド装置を通信装備に装着し、通信装備の設置が完了した後には、整列ガイド装置を通信装備から脱着する。作業者は、本発明の実施形態に係る整列ガイド装置を携帯して、複数の通信装備の設置に際して、繰り返し使用可能である。このように、本発明は、通常の移動通信ネットワークの基地局アンテナのように、固定的に設けられる通信装備の設置作業に際して、作業者を補助するための簡単かつ費用効率的な最適の方策を提供することができる。
【００４９】
上記のように、本発明の一実施形態に係るアンテナ整列ガイド装置の構成およびこれを用いた整列動作が行われ、一方で、上記の本発明の説明では具体的な実施形態に関して説明したが、様々な変形が本発明の範囲を逸脱しない範囲で実施可能である。例えば、上記で説明した各実施形態の少なくとも一部の詳細構成は他の実施形態で同じく適用可能であり、各実施形態の少なくとも一部の詳細構成は削除されてもよい。また、これらの実施形態は、少なくとも一部の詳細構成が相互結合されてもよい。
【００５０】
さらに、上記の説明では、支柱における通信装備の設置方向をユーザが手動で調整するものとして説明したが、今後、通信装備の設置方向を自動調整するための技術にも本発明の実施形態が適用可能である。
【００５１】
例えば、当該通信装備は、外部制御信号によって自動的に設置方向を調整するために、電気的駆動装置および関連器具装置で実現され、当該通信装備を支柱に固定する固定装備が実現されてもよい。その場合に、本発明の整列ガイド装置（またはこのような整列装置から情報提供された通信装備）はこのような固定装置に適切な動作制御信号を出力するように構成することができる。
【００５２】
その他にも、本発明の多様な変更または変形があり得、したがって、発明の範囲は、説明された実施形態によって定められるのではなく、請求範囲および請求範囲の均等なものによって定められなければならない。
【図１】
2019523573.tif 000003
【図２】
2019523573.tif 000004
【図３】
2019523573.tif 000005
【図４】
2019523573.tif 000006
【図５】
2019523573.tif 000007
【図６】
2019523573.tif 000008
【図７】
2019523573.tif 000009
【図８】
2019523573.tif 000010
【国際調査報告】
2019523573.tif 000011
2019523573.tif 000012
2019523573.tif 000013
2019523573.tif 000014